Podtech/llm-jp-corpus-v4-ja_patent huggingface dataset:
(57)【要約】      （修正有）【課題】効率よく養分を供給することができる植木鉢を提供する。【解決手段】植木鉢全体に穴２、又は切れ目を多数入れ、固形肥料を植木の根に直接挿入施肥する事により、元肥となると同時に養分が早く根に行き渡り植木の成長が良くなる。【選択図】図１
0003105172.tif 000002
【実用新案登録請求の範囲】
【請求項１】
植木鉢周囲（底も含む）に穴又は切れ目を多数明け、固形肥料を植木の根に直接挿入し施肥できる鉢で、穴又は切れ目が目立つ場合の鉢は、普通の植木鉢の内側に穴の明いた鉢を内挿出来る植木鉢も含む。
【考案の詳細な説明】
【技術分野】
【０００１】  本実用新案は、植木鉢の植木根への効率的施肥を考えた植木鉢。
【背景技術】
【０００２】  従来の植木鉢の施肥は、植木の茎の回りに追肥をしている。
【考案の開示】
【考案が解決しようとする課題】  従来の植木鉢の施肥は、栽培のスタート時に元肥を土と一緒に施肥し植木が成長するに従って元肥の養分が失われていく、それお補うには、茎の回りに追肥をするか、又は植え替えて土を入れ替えている。
【考案が解決するための手段】
植木鉢に穴、又は切れ目を入れて植木の根に直接固形肥料を挿入し失われた元肥とする。
【考案の効果】
植木の根に直接固形肥料を挿入し元肥とすることにより、効率良く養分が吸収され植え替えも不要である。
【考案を実施するための最良の形態】  図１、図２による。
【実施例】  植木の根に直接固形肥料を挿入し元肥とすることにより、効率良く養分が吸収され植え替えも不要であることが確認された。
【産業上の利用可能性】 
【図面の簡単な説明】
【図１】「直接植木鉢に固形肥料挿入用穴を明けた鉢の鳥瞰図である。」
【図１】「直接植木鉢に固形肥料挿入用穴が目立つ場合を避けた内挿用、穴明き鉢の鳥瞰図である。」
【符号の説明】
１  施肥用穴
２  直接施肥用穴を明けた植木鉢
３  内挿用穴明き植木鉢
【図１】
0003105172.tif 000003
【図２】
0003105172.tif 000004
【手続補正書】
【提出日】平成16年2月9日(2004.2.9)
【手続補正１】
【補正対象書類名】実用新案登録請求の範囲
【補正対象項目名】全文
【補正方法】変更
【補正の内容】
【実用新案登録請求の範囲】
【請求項１】
植木鉢周囲に穴、又は切れ目を多数明け、固形肥料を植木の根に直接挿入し施肥できる鉢で、穴又は切れ目が目立つ場合の鉢は、普通の植木鉢の内側に穴の明いた鉢を内装出来る植木鉢も含む。
【手続補正２】
【補正対象書類名】明細書
【補正対象項目名】全文
【補正方法】変更
【補正の内容】
【考案の詳細な説明】
【技術分野】
【０００１】  本実用新案は、植木鉢の植木根への効率的施肥を考えた植木鉢。
【背景技術】
【０００２】  従来の植木鉢の施肥は、植木の茎の回りに追肥をしている。
【考案の開示】
【考案が解決しようとする課題】  従来の植木鉢の施肥は、栽培のスタート時に元肥を土と一緒に施肥し植木が成長するに従って元肥の養分が失われていく、それお補うには、茎の回りに追肥をするか、又は植え替えて土を入れ替えている。
【考案が解決するための手段】
植木鉢に穴、又は切れ目を入れて植木の根に直接固形肥料を挿入し失われた元肥とする。
【考案の効果】
植木の根に直接固形肥料を挿入し元肥する事により、効率良く養分が吸収される、又  穴の明いた所から根の成長に必要な空気（酸素）が供給される事により、よりいっそう発育し植え替えも不要である。
【考案を実施するための最良の形態】  図１、図２による。
【実施例】  植木の根に直接固形肥料を挿入し元肥とすることにより、効率良く養分が吸収され植え替えも不要であることを実施し確認した。
【産業上の利用可能性】 
【図面の簡単な説明】
【図１】「直接植木鉢に固形肥料挿入用穴を明けた鉢の鳥瞰図である。」
【図２】「直接植木鉢に固形肥料挿入用穴が目立つ場合を避けた内挿用、穴明き鉢の鳥瞰図である。」
【符号の説明】
１  施肥用穴
２  直接施肥用穴を明けた植木鉢
３  内挿用穴明き植木鉢
(57)【要約】      （修正有）【課題】ナベの中に落ちづらくすることで衛生的に使える機能を加えたレンゲの提供。【解決手段】レンゲの柄の部分の形状を変えることでノッチ部分を引っかけ部として使い捨てのアルミニウム製の鍋の縁に引っかけてナベの中に落ちづらくする。【選択図】図１
0003105180.tif 000002
【実用新案登録請求の範囲】
【請求項１】
レンゲのノッチ部分（引っかかり）のナベに落ちずらくなる機能
【考案の詳細な説明】
【技術分野】
【０００１】コンビニで市販されている鍋焼きうどん（アルミ容器）に付属しているレンゲを熱い汁の中に滑り落ちずらくする機能を加えたディスポーザータイプのレンゲを考案した。【０００２】真横から見るとレンゲのスプーン部分とグリップ部分の境目が大きくカーブして柄の部分が直線になっている為に割り箸とレンゲを持ち変えてうどんを食べるとハシを使っている時にレンゲがナベに入ってしまい柄がベタベタになってしまったので引っかかる構造にする事で鍋に滑り込まない構造にした。
【背景技術】
【０００３】使い捨てのレンゲなので原型の金型を改良して大量生産可能である。
金型のコストは必要だが現在の技術で事業化可能である。
【考案の開示】
【考案が解決しようとする課題】
【０００４】食事の時に割り箸やスプーンを使うのは手に食べ物を着けない為である。
しかし現在のレンゲはアルミ鍋に滑り込む。この考案は、その問題を解決した。
【課題を解決するための手段】
【０００５】レンゲのスプーン部分とグリップ部分にカッターナイフで切り込みを入れて引っかかる部分を付けて少し折り曲げた。実際に使って食べてみたら強度に不安は残ったが上手くいった。但し輸送時の破損が心配に感じられた。
次に白いプラスチック粘土で引っかかりを付けてみた。これも上手くいった。大量生産を考えてプレス形成で引っかかるようにしたほうが強度の問題と手間の問題を一度に解決できる。しかも今まで通り重ねて保存できる。
【考案の効果】
【０００６】うどんを食べる時にナベにレンゲを落とさない。
レンゲを取る時に汁に手を入れないで良い。
【考案を実施するための最良の形態】
【０００７】金型を取り替えてプレス形成で引っかかるようにしたほうが強度の問題と手間の問題を一度に解決できる。使い捨てレンゲでも醤油のビンみたいに使い捨てだが生活に根付いて愛用される事を希望する。
【実施例１】
【０００８】レンゲのスプーン部分とグリップ部分にカッターナイフで切り込みを入れて引っかかる部分を付けて少し折り曲げた。実際に使って食べてみたら強度に不安は残ったが上手くいった。但し輸送時の破損が心配に感じられた。
次に白いプラスチック粘土で引っかかりを付けてみた。これも上手くいった。
【産業上の利用可能性】
【０００９】コンビニ食は、何処でも食べやすい箸やスプーンが付いているがレンゲだけは一工夫足りず鍋の中に落ちてしまう。商品を大きく変える事なく気づいたら使い勝手が良くなっている事で更なるリピーターを期待できる。
別のメーカーの醤油を入れる為にお馴染みの使い捨て醤油ビンを買うのに似た効果も期待できる。
【図面の簡単な説明】
【００１０】
【図１】斜面図
【図２】横断面図
【図３】底面図
【符号の説明】
【００１１】１＝引っかかり（ノッチ）
２＝くぼみになっている部分
３＝出ている部分
【図１】
0003105180.tif 000003
【図２】
0003105180.tif 000004
【図３】
0003105180.tif 000005
【手続補正書】
【提出日】平成16年5月17日(2004.5.17)
【手続補正１】
【補正対象書類名】実用新案登録請求の範囲
【補正対象項目名】全文
【補正方法】変更
【補正の内容】
【実用新案登録請求の範囲】
【請求項１】
レンゲの柄の部分の形状を変えることでノッチ部分を引っかけ部として使い捨てのアルミニウム製の鍋の縁に引っかけてナベの中に落ちずらくすることで衛生的に使える機能を加えたレンゲである。ノッチを支点にして薄く軽いプラスチック製レンゲ特質を活かして具材やスープを、すくう窪みの部分の形状を、そのまま活かし浮力として利用し柄の部分に支点とするノッチを付けた使い捨てレンゲスプーン
【手続補正２】
【補正対象書類名】明細書
【補正対象項目名】０００１
【補正方法】変更
【補正の内容】
【０００１】
コンビニで市販されている使い捨てアルミ容器入り鍋焼きうどんに付属しているレンゲを熱い汁の中に形状を変える事で滑り落ちずらくする機能を加えたディスポーザータイプのレンゲを考案した。レンゲの柄の部分の形状を変えることでノッチ部分を引っかけ部として使い捨てのアルミニウム製の鍋の縁に引っかけてナベの中に落ちずらくすることで衛生的に使える機能を加えたレンゲである。ノッチを支点にして薄く軽いプラスチック製レンゲ特質を活かして具材やスープを、すくう窪みの部分の形状を、そのまま活かし浮力として利用し柄の部分に支点とするノッチを付けた使い捨てレンゲである。図４に示す通りに使用するのでレンゲ専用の受け皿を使わないでも良い構造のレンゲである。
【手続補正３】
【補正対象書類名】明細書
【補正対象項目名】００１０
【補正方法】変更
【補正の内容】
【００１０】
【図１】斜面図
【図２】横断面図
【図３】底面図
【図４】使用状態の断面図
【図５】食後の断面図
【手続補正４】
【補正対象書類名】明細書
【補正対象項目名】００１１
【補正方法】変更
【補正の内容】
【００１１】
１＝引っかかり・ノッチ
２＝くぼみになっている部分
３＝出ている部分
４＝アルミ製使い捨てナベ
５＝うどん
６＝スープ
７＝タマゴ
８＝縁にひっかけると柄よりすくう部分が重くバランスが取れる
【手続補正５】
【補正対象書類名】図面
【補正対象項目名】図４
【補正方法】追加
【補正の内容】
【図４】
0003105180.tif 000006
【手続補正６】
【補正対象書類名】図面
【補正対象項目名】図５
【補正方法】追加
【補正の内容】
【図５】
0003105180.tif 000007
【手続補正書】
【提出日】平成16年6月25日(2004.6.25)
【手続補正１】
【補正対象書類名】実用新案登録請求の範囲
【補正対象項目名】全文
【補正方法】変更
【補正の内容】
【実用新案登録請求の範囲】
【請求項１】
レンゲの柄の部分の形状を変えることでノッチ部分を引っかけ部として使い捨てのアルミニウム製の鍋の縁に引っかけりナベの中に落ちずらくすることで衛生的に使える機能を加えたレンゲであって、ノッチを支点にして薄く軽いプラスチック製レンゲ特質を活かして具材やスープを、すくう窪みの部分の形状を、そのまま活かし浮力として利用し柄の部分に支点とするノッチを付けた使い捨てレンゲ
(57)【要約】【課題】三つの使い方ができ、嵩張ることもなくスマートに見える保温用衣料品を提供する。【解決手段】筒状に編み上げられた伸縮性のある編物品であって、幅が１５〜２０ｃｍ、長さが２０〜２５ｃｍである。一重の状態で筒状に編み上げられたものを、さらに二重に折り返して端縁同士を縫い合わせて作られている。そのままの状態では、頭に被せて帽子として使用でき、さらに二重に折り返して首に入れるとネックウォーマーになり、頭に被せ耳を覆うようにするとイヤーバンドになる。【選択図】図１
0003105978.tif 000002
【実用新案登録請求の範囲】
【請求項１】
筒状に編み上げられた伸縮性のある編物品であって、幅が１３〜２３ｃｍ、長さが１５〜３０ｃｍである
ことを特徴とする保温用衣料品。
【請求項２】
幅が１５〜２０ｃｍ、長さが２０〜２５ｃｍである
ことを特徴とする請求項１記載の保温用衣料品。
【請求項３】
前記編物品が、一重の状態で筒状に編み上げられたものを、さらに二重に折り返して端縁同士を縫い合わせたものである
ことを特徴とする請求項１または２記載の保温用衣料品。
【考案の詳細な説明】
【技術分野】
【０００１】
本考案は、保温用衣料品に関する。さらに詳しくは、人の頭部と首に用いる保温用の衣料品に関する。
【背景技術】
【０００２】
従来の保温用衣料品では、頭部用では帽子やイヤーバンドがあり、首用ではマフラーがある。これらは、それぞれ単独の用途をもち、帽子がイヤーバンドになったりマフラーになることはなかった（非特許文献１参照）。
したがって、本当に寒い日には帽子もマフラーも用いて、厳重に耐寒装備すればよいのであるが、さほど寒くもなく、かといって保温が全く不要といえない気温のときは、どの保温具を持つか迷うときもある。また、沢山の保温具を持てば嵩張るだけでスマートに見えない、というファッション上の抵抗感もある。
【０００３】
【非特許文献１】商品大辞典  １９９２年１０月１５日  第１２版発行  東洋経済新報社発行  1214〜1215頁
【考案の開示】
【考案が解決しようとする課題】
【０００４】
本考案は上記事情に鑑み、帽子とイヤーバンドとマフラーの三つの使い方ができ、嵩張ることもなくスマートに見える保温用衣料品を提供することを目的とする。
【課題を解決するための手段】
【０００５】
第１考案の保温用衣料品は、筒状に編み上げられた伸縮性のある編物品であって、幅が１３〜２３ｃｍ、長さが１５〜３０ｃｍであることを特徴とする。
第２考案の保温用衣料品は、第１考案において、幅が１５〜２０ｃｍ、長さが２０〜２５ｃｍであることを特徴とする。
第３考案の保温用衣料品は、第１または第２考案において、前記編物品が、一重の状態で筒状に編み上げられたものを、さらに二重に折り返して端縁同士を縫い合わせたものであることを特徴とする。
【考案の効果】
【０００６】
第１考案によれば、伸縮性がある故に、幅が人体の頭部にも首にも入る大きさであるので、頭部にも被せ、首にも被せることができ、しかも長さは二つ折りにすれば丁度首に巻いたり耳覆いに使え、伸ばしたままだと頭にのせて帽子として使うことができる。つまり、本考案では、帽子とイヤーバンドとネックウォーマーの３種類の使い方ができる。
第２考案によれば、幅が頭に被せたり首に入れるのに最適の寸法で、大人なら男女兼用の保温用衣料品として使用することができる。
第３考案によれば、二重の筒になっているので、保温性が高くなる。
【考案を実施するための最良の形態】
【０００７】
つぎに、本考案の実施形態を図面に基づき説明する。
図１は本考案の一実施形態に係る保温用衣料品１を示し、（イ）図は二つ折りした状態の斜視図、（ロ）図は二つ折りにしていない状態の斜視図である。図２は同実施形態に係る保温用衣料品１の一重の状態での平面図である。図３は同実施形態に係る保温用衣料品１の二重に折り返して縫い合わせる状態を示す斜視図である。図４は（Ａ）図はネックウォーマーとして使用している状態、（Ｂ）図はイヤーバンドとして使用している状態、（Ｃ）図は帽子として使用している状態の説明図である。
【０００８】
本実施形態の保温用衣料品１は、編物により作られる。つまり、一系列の糸が作ったループ（編目）の連綴によってできる布地で、ニットとも称される。縦糸と横糸の二系列の糸を直角に交錯してできる織物とは異なり、伸縮性を有する点に特徴がある。
糸の材料は、とくに制限がなく、綿、毛、絹、人絹、合成糸などを任意に用いてよい。
図２に示すように、まず、一重の状態で筒状に編み上げる。この編物品の伸縮性は、幅Ｗ方向に多く発現し、長さＬ方向には多少発現するようにすればよい。
【０００９】
図２に示す一重に編み上げると、その半製品を図３に示すように、上記の編物品を二重に折り返し、そのうえで両端の端縁ｅ，ｅ同士を突き合わせて、糸で縫い合わせ、さらに裏返すと、本実施形態の保温用衣料品１として完成する。このように完成した状態で、寸法は下記の範囲が適切である。幅Ｗは１３〜２３ｃｍが好ましく、とくに、１５〜２０ｃｍがより好ましい。長さＬは１５〜３０ｃｍが好ましく、とくに、２０〜２５ｃｍがより好ましい。
【００１０】
本実施形態の保温用衣料品１は、伸縮性を有するが、幅Ｗ方向に多くの伸縮性が発現するように編み上げられている。
したがって、上記の寸法であると、頭に被せてもきつすぎず、首に入れても緩すぎず、大人であれば男女兼用で無理なく使用することができる。
【００１１】
図１の（イ）図は、図３に示すように作られた保温用衣料品１を二重に折り返した状態であり、（ロ）図は折り返さず伸ばした状態を示している。（イ）図の状態では二重に編まれたものを折り返しているので、結果として四重になり保温性が高くなる。（ロ）図の状態では、長く延びているので、覆う面積が広くなり、使い方の自由度が高くなる。
【００１２】
図４は本実施形態の保温用衣料品の使用方法を示している。
（Ａ）図はネックウォーマーとしての使用法を示している。この場合は二重折りして、首に入れればよい。
（Ｂ）図はイヤーバンドとしての使用法を示している。この場合も二重折りして首を覆うように頭に被せればよい。
（Ｃ）図は帽子としての使用法を示している。この場合は、二重折りせず一重の状態で伸ばしたまま頭に被るとよい。耳を覆うように被ることも可能であり、上部の余った部分は自然と折れ畳まれるので、頭部天面を温かく保温することができる。
【図面の簡単な説明】
【００１３】
【図１】本考案の一実施形態に係る保温用衣料品１を示し、（イ）図は二つ折りした状態の斜視図、（ロ）図は二つ折りにしていない状態の斜視図である。
【図２】同実施形態に係る保温用衣料品１の一重の状態での平面図である。
【図３】同実施形態に係る保温用衣料品１の二重に折り返して縫い合わせる状態を示す斜視図である。
【図４】（Ａ）図はネックウォーマーとして使用している状態、（Ｂ）図はイヤーバンドとして使用している状態、（Ｃ）図は帽子として使用している状態の説明図である。
【符号の説明】
【００１４】
１    保温用衣料品
【図１】
0003105978.tif 000003
【図２】
0003105978.tif 000004
【図３】
0003105978.tif 000005
【図４】
0003105978.tif 000006
(57)【要約】      （修正有）【課題】旅客機、輸送機、小型飛行機等航空機の所謂エコノミー症候群の解消に役立つ旅客用シートを提供する。【解決手段】航空機機内の旅客用シートに設置されているオーディオ信号の出力端子２に、オーディオ信号の信号波形に追随して振動を発生する先端ユニットを有する長さ１ｍ〜２ｍのコードを具備する航空機旅客用シート１。【選択図】図１
0003105980.tif 000002
【実用新案登録請求の範囲】
【請求項１】
航空機機内の旅客用シートに設置されているオーディオ信号の出力端子に、オーディオ信号の信号波形に追随して振動を発生する先端ユニットを有する長さ１ｍ〜２ｍのコードを具備する航空機旅客用シート。
【考案の詳細な説明】
【技術分野】
【０００１】
考案は、旅客機、輸送機等航空機の旅客用シートに関する。
【背景技術】
【０００２】
近年、文化、経済発展、並びにレジャーの拡大に伴い、世界各地にビジネス、旅行で長時間航空機を利用する人が多くなっている。ところが所謂エコノミー症候群と称される同一シートに長時間座ることによる肉体的、精神的苦痛の増加が指摘されている。
このため、航空機シートを広くする工夫や、特開平８−１０４２９７に見られるマッサージユニットを組み込んだシートの利用が提案されている。
【考案の開示】
【考案が解決しようとする課題】
【０００３】
航空機シートを広くする方法又はシートにマッサージユニットを組み込む方法は輸送客数の減少、シート改良コストの上昇になり好ましくない。
【課題を解決するための手段】
【０００４】
考案は、航空機の旅客用シートに設置されているオーディオ信号の出力端子に、オーディオ信号の信号波形に追随して振動を発生する先端ユニットを有する長さ１ｍ〜２mのコードを具備する旅客用シートである。
【考案の効果】
【０００５】
考案による旅客用シートは、現行のシート自体を変更することなく、先端にオーディオ信号の信号波形に追随して振動を発生する先端ユニットを有するコードを具備することのみで達成され、安価、簡便に実施が可能である。客は自由にコード先端の振動ユニットを身体各部に接触させてマッサージを行うことが出来、これを必要としない場合は、従来の音響サービスを利用することが出来る。
【考案を実施するための最良の形態】
【０００６】
考案に使用されるオーディオ信号の信号波形に追随して振動を発生する先端ユニットは、客が自由に身体各部に接触可能となるようにコード長さは１ｍ〜２ｍ、好ましくは１ｍ〜１．５ｍである。本ユニット附きコードは、現オーディオユニットと同様に客前席旅客シート背面ポッケトに格納されても支障はない。高年齢者、身体障害者等も容易に活用可能とするため、先端ユニットは小型、軽量であることが望ましい。
【実施例】
【０００７】
（実施例１）
厚さ１０ｍｍ、直径５０ｍｍのオーディオ信号波形に追随して振動を発生する重さ１００ｇの先端ユニットを有する直径３ｍｍ、長さ１．２ｍのコードを、座席シートのオーディオ信号の出力端子に接続した。足、脚、腰、背中、首、頭部等身体各部へのマッサージが可能であった。
【産業上の利用可能性】
【０００８】
考案の所謂エコノミー症候群解消座席シートは、旅客機、輸送機、小型飛行機等各種航空機に安価、容易に設置可能で広く適用出来る。
【図面の簡単な説明】
【０００９】
【図１】考案の旅客用シートの概観図である。
【図２】先端ユニット附きコードの概観図である。
【符号の説明】
【００１０】
１    旅客用シート
２    オーディオ信号の出力端子
３    先端ユニット
４    コード
５    差込端子
【図１】
0003105980.tif 000003
【図２】
0003105980.tif 000004
(57)【要約】      （修正有）【課題】夜間の交通安全のための視認性に優れた光る自転車ハンドルを提供する。【解決手段】高反射シート２を広範囲にハンドル１全周に渡り貼付したことを特徴とする光る自転車ハンドル。【選択図】図１
0003105916.tif 000002
【実用新案登録請求の範囲】
【請求項１】
高反射シートを広範囲に全周に渡り貼付したことを特徴とする光る自転車ハンドル
【考案の詳細な説明】
【技術分野】
【０００１】  本考案は、夜間の交通安全のための光る自転車用ハンドルに関するものである。
【背景技術】
【０００２】  従来、自転車ハンドルは曲げ加工を施した後メッキ加工等を行ったパイプ形状で、パイプ素材に反射装置は具備されずに使用されていた。
【考案の開示】
【考案が解決しようとする課題】
【０００３】    そのために欠のような欠点があった。
イ．光を反射する装置がない為、夜間の特に前方向からの視認性が悪かった。
ロ．反射素材を後から貼付した場合、曲ったパイプとの密着性に問題があった。
本考案は、以上の欠点を解決するためになされたものである。
【課題を解決するための手段】
【０００４】  高反射シートを広範囲に全周に貼付したことを特徴とした光る自転車ハンドルである。
【考案の効果】
【０００６】  曲げ加工を施された部分もハンドルと反射シートに密着性があり、夜間の自転車使用時における、自動車等からの光を反射する範囲が広くまた走行時におけるハンドルの常時揺れ動く動作とから、遠方からの視認性が格段に向上し、交通安全に寄与する効果が大きい。
【考案を実施するための最良の形態】
【０００６】  以下、本考案の実施の形態について説明する。
イ．自転車ハンドル（１）のパイプが直管時に、表面に反射層が形成された柔軟性に富ん    だ高反射シート（２）を、広範囲に全周に巻き付けるように貼付する。
ロ．その後曲げ加工を行い、ハンドルを形成する。
本考案は以上のような構造でこれを使用するときは、ステムヘッド（３）に中央部を固定ボルト（５）を用いて組み付ける。
【実施例】
【０００７】  図２に示すようにハンドルステム（４）にも追加高反射シート（６）を貼付し、反射面積を増加させることにより夜間の視認性をさらに向上させることができる。
【図面の簡単な説明】
【０００８】
【図１】本考案の使用状態を示す斜視図
【図２】本考案の他の使用例を示す斜視図
【符号の説明】
【０００９】１  ハンドル
２  高反射シート
３  ステムヘッド
４  ハンドルステム
５  固定ボルト
６  追加高反射シート
【図１】
0003105916.tif 000003
【図２】
0003105916.tif 000004
(57)【要約】【課題】            縫ぐるみについて、単に部屋内の設置又は携帯に伴うデザイン的効果だけでなく、物の包装カバー、等による多機能を発揮し得る構成を提供すること。【解決手段】        動物の身体形状を模擬した縫ぐるみ１において、下端を開口可能な状態にあり、かつ折り曲げ自在の袋２を腹部に固着した状態にて下方に垂設したことに基づき、ゴルフクラブ用ヘッド３１に対するカバー、更には当該動物による人形劇などを可能とする多機能用縫ぐるみ１。【選択図】          図３
0003105920.tif 000002
【実用新案登録請求の範囲】
【請求項１】
動物の身体形状を模擬した縫ぐるみにおいて、下端を開口可能な状態にあり、かつ折り曲げ自在の袋を腹部に固着した状態にて下方に垂設したことによる多機能用縫ぐるみ。
【請求項２】
模擬した動物の頭部を空洞状態とし、かつ袋の上部を開口し、当該空洞と連通させたことを特徴とする請求項１記載の多機能用縫ぐるみ。
【請求項３】
頭部における空洞部分の大きさが、ゴルフクラブ用ヘッドと概略同一であって、ゴルフクラブ用ヘッドをカバーすることが可能であることを特徴とする請求項２記載の多機能用縫ぐるみ。
【請求項４】
模擬した動物として獣を選択したうえで、当該獣における前側の２本の脚部、及び又は後側の２本の脚部につき、手指が挿入可能な程度の空洞状態としたことを特徴とする請求項１記載の多機能用縫ぐる。
【請求項５】
模擬した動物として獣を選択したうえで、当該獣の前側の２本の脚部、及び又は後側の２本の脚部を磁気によって相互に着脱自在としたことを特徴とする請求項１記載の多機能用縫ぐるみ。
【請求項６】
開口可能な袋における下端部をチャック又は磁力によって開閉自在としたことを特徴とする請求項１記載の多機能用縫ぐるみ。
【考案の詳細な説明】
【技術分野】
【０００１】
本考案は、動物（獣のみならず、魚などの水中生息物をも含む）の形状を模擬した縫ぐるみにつき、多機能的に使用する構成に関するものである。
【背景技術】
【０００２】
従来縫ぐるみは、人形に準じた扱いが行われており、単に部屋内において静置するか精々ペットと同様に所持し、かつ携帯するという程度の利用しか行われていなかった。
【０００３】
即ち、縫ぐるみによるデザイン的な効果を維持しながら、他の機能をも発揮させるような構成は、これまで提唱されていない。
【考案の開示】
【考案が解決しようとする課題】
【０００４】
本考案は、縫ぐるみによるデザイン上の効果を維持した状態にて、物を包装すること等を可能とするような構成を提供することを課題としている。
【課題を解決するための手段】
【０００５】
前記課題を解決するため、動物の身体形状を模擬した縫ぐるみにおいて、下端を開口可能な状態にあり、かつ折り曲げ自在の袋を腹部に固着した状態にて下方に垂設したことによる多機能用縫ぐるみからなる。
【考案の効果】
【０００６】
前記解決手段に基づき、腹部及び尾部から下方に設けられている袋の下端における開口部から、ゴルフクラブなどの細長形状物を挿入し、ゴルフクラブ用ヘッドなどの細長形状物の先端部をカバーすることが可能となり、しかも、縫ぐるみにおいては、頭部及び背部の方が腹部及び尾部よりも目立ち易いため、前記のように、細長形状の物を挿入したところで、縫ぐるみとしてのデザイン的な作用効果が喪失されることはない。
【考案を実施するための最良の形態】
【０００７】
本発明の典型的な実施形態は、図３に示すように、縫ぐるみ１において模擬されている動物の頭部を空洞状態とし、かつ袋の上部を開口し、当該空洞と連通させたことによって、当該頭部に対し、先端において所定の大きさ及び形状を有している物を挿入可能としており、特に縫ぐるみ１において模擬された動物の頭部における空洞部を、ゴルフクラブ用ヘッド３１を挿入可能なように設計した場合には、ゴルフクラブ３を袋及び縫ぐるみ１に挿入したうえで、ゴルフクラブ用ヘッド３１を前記頭部によってカバーすることが可能となる。
【０００８】
図３においては、犬を模擬した縫ぐるみ１を採用しているが、模擬される対象の動物としては、犬に限らず、虎、猫、熊の獣、更にはアザラシ、魚などの水中生息物をも採用することができる。
【０００９】
更には、模擬する対象物として、獣を選択し、かつ脚部１２を有する前側の２本の脚部１２及び又は後側の２本の脚部１２を空洞状態とし、ユーザーの手指を挿入可能とした場合には、ユーザーは袋の下端部に位置している開口部２１から腕を挿入し、更には手指を前記脚部１２の空洞部に挿入し、縫ぐるみ１の４本の脚部１２の内、前側又は後側の２本の脚部１２、更には４本の全体の脚部１２を動かしながら、人形劇模様の演劇的効果を発揮することも可能となる。
【００１０】
以下、実施例に即して説明する。
【実施例１】
【００１１】
実施例１においては、図１に示すように、模擬した動物として獣を選択したうえで、当該獣の前側の２本の脚部１２、及び又は後側の２本の脚部１２を磁気によって相互に着脱自在としたことを特徴としている。
【００１２】
このような実施例１の構成によって、図３に示すように、例えばゴルフクラブ用ヘッド３１を袋を介して縫ぐるみ１の頭部に挿入し、かつカバーした場合において、２本又は４本の脚部１２によって袋を包囲した状態にて囲い込み、挿入したゴルフクラブ３などの細長形状の物体を堅固に保持した状態にて前記挿入状態を維持することが可能となる。
【実施例２】
【００１３】
実施例２は、図２に示すように、開口可能な袋における下端部をチャック又は磁力によって開閉自在としたことを特徴としている。
【００１４】
このような実施例２の構成においては、図３に示すようなゴルフクラブ３などの細長形状物を挿入してカバーする作用効果以外に、通常の物を袋内に挿入し、かつ外に漏れないような状態にて包装することが可能となる。
【産業上の利用可能性】
【００１５】
本考案は、縫ぐるみの製造販売分野において利用することが可能である。
【図面の簡単な説明】
【００１６】
【図１】模擬した獣の前側又は後側の２本の脚部に磁石を介在させた実施例１の構成を示す側断面図である。
【図２】袋の開口部を閉鎖可能とした実施例２の見取図であり、（ａ）はチャックを採用した場合を示しており、（ｂ）は磁石を採用した場合を示している。
【図３】本発明の実施形態に基づく使用状態を示す見取図である。
【符号の説明】
【００１７】
１：縫ぐるみ
１２：脚部
２：袋
２１：開口部
３：ゴルフクラブ
３１：ゴルフクラブ用ヘッド
４：磁石
【図１】
0003105920.tif 000003
【図２】
0003105920.tif 000004
【図３】
0003105920.tif 000005
(57)【要約】【課題】    枕の調度良い硬さ、高さの段階をつくり、ヘタリの少ない、頭にヒンヤリ感を与えるようにする。【解決手段】    枕の中わたを木綿わた手づくりとし、調度良い硬さ、高さの段階をつくり、小粒プラスチックビーズ４によるヒンヤリ感を与える頭寒シート３とマジックテープ５で接続するようにした。【選択図】    図４
0003105914.tif 000002
【実用新案登録請求の範囲】
【請求項１】
木綿わたを使用したことを特徴とする枕。
【請求項２】
請求項１において、手づくりすることを特徴とする枕。
【請求項３】
生地に小粒状ビーズ４を使用した頭寒シート３と枕本体１とを、取り付け、取り外し可能にしたことを特徴とする請求項１または請求項２に記載の枕。
【請求項４】
前記頭寒シート３の中味素材が小粒ビーズプラスチック材料により形成されていることを特徴とする請求項３に記載の枕。
【考案の詳細な説明】
【技術分野】
【０００１】本考案は、枕本体１の中味素材を木綿わた２を用いて手づくりとし、頭寒シート３の中味素材を小粒プラスチックビーズ４とすることで、最良の寝心地が得られる枕に関するものである。
【背景技術】
【０００２】枕本体の丁度良い硬さという点で、これまでの市販の枕は機械づくりのため、そのほとんどの中味素材は、ポリエステル綿、スポンジ、発泡ウレタン（例えば、実開平１−１３１３６９号  公報参照）・パイプ・大粒ビーズ等石油製品が使用されてきた。ポリエステル綿・発泡ウレタン素材はやわらかく、パイプ・大粒ビーズは硬すぎてしまうという問題点があった。【０００３】枕の丁度良い高さという点で、これまで市販の枕で、店頭で即席に中味素材を重ね合わせて、高さの調節をするという枕もあるが、即席の枕本体づくりでは、ヘタリの少ない、型くずれのない枕をつくるのは難しかった。
【特許文献１】実開平１−１３１３６９号  公報
【０００４】枕で頭の熱を取ること、すなわち良好なヒンヤリ感を得るという点で、従来の枕のほとんどに、通気性を良くする、また少量のビーズ・パイプ等を使用し、少しだけヒンヤリ感を与えるという枕はあったが、良好なヒンヤリ感を与えることが出来ないという欠点があった。
【考案の開示】
【考案が解決しようとする課題】
【０００５】  従来、いわゆる寝具としての枕で、以下２つの点で問題点を有していた。
（１）  枕の使用感の中で、丁度良い感じの硬さの中味素材が見つからなかった。枕の高さの点で、従来店頭で中味素材の充填の調節による高さの段階をつけた枕はあったが、この簡単な方法ではしっかりした枕本体はつくれない、さらに使用によるヘタリも早くなるという欠点があった。
（２）  枕で頭の熱を取ること、すなわちヒンヤリする感じを持たせるような素材の入った枕もあるが、さらに良好なヒンヤリ感のある素材が見つからなかった。
【課題を解決するための手段】
【０００６】上記課題を解決するために、枕本体の中味素材を、インド産原綿トップチョイス８５％以上、ポリエステル綿１５％以下の混合わたの木綿わた２とし、これを熟練のふとん技能士が手づくりすることで、丁度良い感じの硬さ、木綿わた２の充填量の調節による高さの段階をつくるようにした。さらに木綿わた特有の陽に干すと膨らむという点を活かして長時間使用してもヘタリが少なくなるようにした。さらに本体とは別に頭寒シートをつくり、このシートの中味素材を２〜４ミリ程度の小粒プラスチックビーズ（８５０グラム入り）とすることで、室温より３．４度低い温度を保てるようにした。
【考案の効果】
【０００７】木綿わた手づくりの本体と、小粒プラスチックビーズ入りの頭寒シートをマジックテープで接続し、カバーをつけて使用することにより、丁度良い硬さ、丁度良い高さ、ヘタリにくい、良好なヒンヤリ感のある、寝具の枕としての最良の寝心地が得られる。
【考案を実施するための最良の形態】
【０００８】丁度良い硬さの枕本体１をつくるために、中味素材はインド原産の良質の木綿わたを使用し、これを熟練のふとん技能士が手づくりすることでヘタリにくい、型くずれしない枕本体がつくれる。【０００９】枕本体１の高さの段階をつくるという点で、型くずれ、ヘタリをなくすため、７種類の段階を一つ一つ手づくりして在庫しておくという方法をとった。さらに頭寒シート３について、春・秋・冬のシーズンは、そのままでヒンヤリ感があるが、外気温の高い夏のシーズンは物理的に冷やす必要がある、頭寒シート３を買い物ビニール袋等に入れ口を縛り冷蔵庫に２時間以上入れ、寝る直前に枕本体１にセットすることで２０分程度最高のヒンヤリ感が得られる。また衛生面から考え枕も洗える必要がある等を考え、枕本体１と頭寒シート３とを取り付け、取り外しが出来るようマジックテープ５で接続した。
【実施例】
【００１０】枕本体１の丁度良い硬さを実現するため、中味素材を、敷布団で最高の寝心地が得られるインド原産の木綿わた（トップチョイス８５％以上とかさ高を少し出すためポリエステル綿１５％以下との混合綿）を使用し、これを手づくりすることで、耐久性のある、丁度良い硬さの枕本体１をつくることが出来た。【００１１】使用する人のタイプ、好みに合わせた高さの段階をつくるため、上記の木綿わた２を、５００グラムから１００グラムずつ増量していき、手づくり可能な１１００グラムまで７段階の高さをつくった。さらに子供用枕として、１００グラム、２００グラム、３００グラムの３段階の高さをつくり、赤ちゃんから大人までほとんど全ての人に対応出来るようにした。【００１２】良好なヒンヤリ感を実現するために、頭寒シート３の中味素材を２〜４ミリ程度の小粒プラスチックビーズとすることで、春・秋・冬のシーズンはそのままで室温より３．４度低い温度が保てる。しかし気温の高い夏のシーズンだけはヒンヤリ感が少ないため物理的に冷やす必要がある。そこで、頭寒シート３を、買い物ビニール袋等に入れ口を縛り冷蔵庫で２．３時間以上冷やし、寝る直前に取り出しセットして使用すると、２０分程度非常に冷たく寝つきも良くなるようにした。【００１３】頭寒シート３を上記の気温の高いシーズンに、冷蔵庫に入れる、また衛生面から頭寒シートを洗うという点を考え、マジックテープ５を利用して枕本体１と頭寒シート３を取り付け、取り外しが出来るようにした。
【産業上の利用可能性】
【００１４】上記の実施例では、インド産の木綿わたを使用したが、必ずしもこれに限定されることなく、他の同等の性質を有する木綿わたであっても良い。また、枕本体１と頭寒シート３の接続に用いたマジックテープ５についても、取り付け、取り外しが可能であればホック手段でも良い。
【図面の簡単な説明】
【００１５】
【図１】  枕本体と頭寒シートの斜視図である。
【図２】  枕本体の断面図でる。
【図３】  頭寒シートの断面図でる。
【図４】  枕本体と頭寒シートのマジックテープによって接続する状態を示す斜視図である。
【符号の説明】
【００１６】１  枕本体
２  木綿わた
３  頭寒シート
４  小粒プラスチックビーズ
５  マジックテープ
【図１】
0003105914.tif 000003
【図２】
0003105914.tif 000004
【図３】
0003105914.tif 000005
【図４】
0003105914.tif 000006
(57)【要約】      （修正有） 【課題】構造が簡単で、靴のかかと部に装着して、足をしっかりと安定よく包み込むことのできる、靴かかと部用の弾性パッドを提供する。【解決手段】弾性パッド１０は、平面形状がＵ字形で、靴のかかと部１に装着する。パッド１０の厚みには、中央部が薄く、周縁部が厚くなるような傾斜が付いている。弾性パッド１０の素材には、ゴム系の発泡ラテックスが用いられている。この弾性パッド１０を、かかと部１に装着すると、このパッド１０がカウンター部３と足との隙間を埋めて、足にやさしくフィットし、足の側縁にかかる圧力を分散させるようになり、靴の履き心地がよくなる。【選択図】図１
0003105917.tif 000002
【実用新案登録請求の範囲】
【請求項１】
柔軟な弾性材で作られ、靴のかかと部に密に装着できるように平面がＵ字形であり、厚さは、中央部が薄く、周縁部が厚くなるように傾斜が付いている、靴かかと部用の弾性パッド。
【請求項２】
弾性材が、ゴム系の発泡ラテックスである請求項１記載の靴かかと部用の弾性パッド。
【考案の詳細な説明】
【技術分野】
【０００１】
この考案は、靴のかかと部に装着する弾性パッドに関する。
【背景技術】
【０００２】
靴を履いた時の、靴と足との安定を良くする為に、靴のかかと部に装着する弾性パッドは、従来から種々の形態のものが多数提案されている。（例えば、特許文献１、２参照）。
【０００３】
【特許文献１】特開平８−１０００６号公報
【特許文献２】登録実用新案第３０４２１６０号公報
【考案の開示】
【考案が解決しようとする課題】
【０００４】
ところが、従来の弾性パッドは、構造の複雑なものが多くて、製造コストが嵩むという欠点がある上に、足との安定化も不充分で、足をしっかりと包み込むことができず、長時間の歩行時には足がずれて、疲れるという問題がある。
【０００５】
本考案はこのような点に鑑み、構造が簡単であるにかかわらず、靴のかかと部に容易に装着できて、歩行時のショックの吸収が可能である他、足をしっかりと包み込んで安定がよく、足の側縁にかかる圧力を分散させるようにして、足にやさしくフィットし、長時間の歩行時にも安定感があって疲れを押えることのできる、かかと部用の弾性パッドを提供するにある。
【課題を解決するための手段】
【０００６】
本考案の弾性パッドの技術的手段は、柔軟な弾性材で作られ、靴のかかと部に密に装着できるように平面がＵ字形であり、厚さは、中央部が薄く、周縁部が厚くなるように傾斜が付いていることにある。
【０００７】
また、弾性材として、ゴム系の発泡ラテックスを用いるのが好ましい。
【考案の効果】
【０００８】
本考案の弾性パッドは、Ｕ字形で、周縁部が厚くなるような傾斜が付いているので、このパッドを靴かかと部に装着すると、靴を履いて歩いた時に、ショックの吸収が可能である上に、パッドが足とカウンター部との隙間を埋めて、足にやさしくフィットし、足をしっかりと包み込むようになり、更に、足の側縁にかかる圧力を効果的に分散させて、履き心地がよく、長時間の歩行でも安定感があって、疲れなくなる。また、本考案のパッドは、構造が簡単で、製造コストが低く、靴のかかと部に簡単に装着できるなどの種々の利点を有する。
【０００９】
請求項２のものでは、発泡ラテックスを用いたので、金型を用いての量産が可能である他、弾性が非常に柔軟で、かつ、弾力性の劣化が少ないなどの効果を奏する。
【考案を実施するための最良の形態】
【００１０】
本考案の弾性パッドを実施するための最良の形態を、図面の実施例に基づいて説明する。靴のかかと部１は、かかと底２と、このかかと底の周縁から立ち上がるカウンター部３とからなる。このかかと部１には、Ｕ字形の弾性パッド１０が、その周縁がカウンター部３と密着するように装着される。
【００１１】
弾性パッド１０は、図２〜４に示されるように、平面形状がＵ字形で、かつ、その厚みには、中央部が薄く、周縁部が厚くなる傾斜１１が付いている。実施例では、外周縁部が５ｍｍで、内周縁部は０ｍｍである。パッド１０の素材には、ゴム系や、合成樹脂系の弾性材を用いる。柔軟な発泡材を用いるのが好ましい。実施例では、ゴム系の発泡ラテックスが用いられている。発泡ラテックスを用いたことにより、金型を用いての量産が可能であり、極めて柔軟な弾力性を有し、かつ、弾力性の劣化が少なくて、長期に互って、安定のよいパッドを得ることができる。
【００１２】
このように、弾性パッド１０は、発泡体で、柔軟な弾力性を有する他、Ｕ字形で、周縁部が厚くなっているので、これを靴のかかと部１に装着して、そこに足を入れると、足とカウンター部との間の隙間をパッド１０が埋め、このパッドが足にやさしくフィットして、しっかりと包み込むようになり、足の側縁にかかる圧力を分散させることができる。この為、長時間の歩行時にも、靴内での足のずれがなくて、安定しているので、疲れを押えることができる。
【００１３】
本考案の弾性パッドは、前記の実施例に限定されるものではなく、実用新案登録請求の範囲の記載の範囲内で自由に変形実施可能である。特に、パッド１０の材質や、詳細な形状は自由である。
【図面の簡単な説明】
【００１４】
【図１】本考案の弾性パッドを、靴のかかと部に装着した状態の斜視図。
【図２】弾性パッドの平面図。
【図３】Ａ−Ａ線の断面図。
【図４】Ｂ−Ｂ線の断面図。
【図５】パッド装着状態の靴かかと部の断面図。
【符号の説明】
【００１５】
１        かかと部
２        かかと底
３        カウンター部
１０      弾性パッド
１１      傾斜
【図１】
0003105917.tif 000003
【図２】
0003105917.tif 000004
【図３】
0003105917.tif 000005
【図４】
0003105917.tif 000006
【図５】
0003105917.tif 000007
(57)【要約】      （修正有）【課題】野菜、花物を風、霜、陽、虫等による災害から防ぐため、竹棒をシートに差し込むだけで一人でも簡単に組立出来る、軽量性と加工性に優れた園芸資材を提供する。【解決手段】シートの両端部に棒が差し込める開口部を加工した為、片手でも組立て可能な軽量の竹棒を使ってシートの両端に竹棒を差し込ませる。【選択図】図１
0003105913.tif 000002
【実用新案登録請求の範囲】
【請求項１】
綿素材で作られたシートを両端部に竹状の棒を差し込める開口部を加工し、園芸資材用の野菜・花物の災害対策保護セット。
【考案の詳細な説明】
【技術分野】
【０００１】本考案は、綿素材で作られたシート加工に関する。
【背景技術】
【０００２】
【考案の開示】
【考案が解決しようとする課題】
【０００３】綿素材のシートが水を吸収すると縮む為、開口部の加工寸法をとる際、困難であった。
【課題を解決する為の手段】
【０００４】度々の実験を重ね加工寸法を計測し、これにより上記課題を解決するものである。
【考案の効果】
【０００５】本考案に係る園芸資材は、上記による寸法が明確した為容易に加工でき、竹状の棒も中が空洞の為軽量で、組立て時に実用性に優れたものである。
【考案を実施するための最良の形態】
【０００６】図１に示すように、シートの両端を紙を使い縫い合わせる。
【図面の簡単な説明】
【０００７】
【図１】本考案に係る園芸資材の加工における工程図である。
【図２】本考案に係る園芸資材の断面図である。
【図３】本考案に係る園芸資材の平面図である。
【符号の説明】
１・・・綿素材シート
２・・・加工穴
３・・・ピアノ線
４・・・フック
５・・・竹棒
【図１】
0003105913.tif 000003
【図２】
0003105913.tif 000004
【図３】
0003105913.tif 000005
(57)【要約】【課題】従来の名刺に付加価値を付与する手段。【解決手段】  名刺に表示の文言、イラスト、写真等を印刷し、縦長、横長名刺共、その項目別に折り畳み、見開きが出来る様に構成し、名刺そのものに付加価値を付ける手段でその満足が得られる。【選択図】図３
0003105919.tif 000002
【実用新案登録請求の範囲】
【請求項１】
縦長名刺、横長名刺、共にその天地寸法を基本とし、横方向に表示項目の、
文言、イラスト、写真等を紙面に印刷し、名刺寸法で上面、中面、下面とそ
の表示項目別に数面折り畳み、見開きの出来る名刺を構成したことを特徴と
した名刺。
【考案の詳細な説明】
【技術分野】
【０００１】
本考案は、名刺に関する構成方法。
【背景技術】
【０００２】
従来の名刺は名前、住所、身分、勤め先等を表示することを主目的とした
ものである。
【考案の開示】
【考案が解決しようとする課題】
【０００３】
従来の名刺に付加価値を付与する構成、１面の基本寸法で、多面を折り畳
み見開きが出来る構成とすること。
【課題を解決するための手段】
【０００４】
従来の名刺に更に付加価値を付与する手段は（請求項１）を実施すること
により、その目的を満足することが出来る。
【考案の効果】
【０００５】
名刺と同一寸法紙面を、横長にその表示目的により印刷し、その表示項目
毎に折り畳み見開きすることが出来、従来の名刺の表、裏２面に比べ、多面
刷りすることにより、より効果的に表示出来、満足することが出来る。
【考案を実施するための最良の形態】
【０００６】
名刺に文言、イラスト、写真等を表示し、その紙面１枚横長に印刷し項目
別に、名刺寸法上面、中面、下面と多面折り畳み、見開きが出来る様に構成
することにより、従来名刺の表、裏の２面に対し、多面刷りが出来、名刺そ
のものの効果的な付加価値が得られるように構成することを実施すれば満
足することができる。
【図面の簡単な説明】
【０００７】
【図１】本考案の横長タイプの２面折り畳み展開図である。
【図２】（イ）図（ロ）図は、本考案の折り畳み断面図である。
【図３】本考案の横長タイプの３面折り畳み展開図である。
【図４】（イ）図（ロ）図（ハ）図は本考案の折り畳み断面図である。
【図５】本考案の縦長タイプの２面折り畳み展開図である。
【図６】（イ）図（ロ）図は本考案の折り畳み断面図である。
【図７】本考案の３面折り畳み展開図である。
【図８】（イ）図（ロ）図（ハ）図は本考案の折り畳み断面図である。
【符号の説明】
【０００８】
１    上面
２    中面
３    下面
【図１】
0003105919.tif 000003
【図２】
0003105919.tif 000004
【図３】
0003105919.tif 000005
【図４】
0003105919.tif 000006
【図５】
0003105919.tif 000007
【図６】
0003105919.tif 000008
【図７】
0003105919.tif 000009
【図８】
0003105919.tif 000010
(57)【要約】【課題】  コンクリート中の気泡の除去を能率良く確実に行うことのできる気泡除去装置の提供。【解決手段】  振動を発生するバイブレータ１にロッド２を連結して備え、ロッドの下端部に横部材３を固着してあり、横部材から細長棒状の振動部材４を横並びに多数垂下して設けてあることを特徴とする。【選択図】      図１
0003105921.tif 000002
【実用新案登録請求の範囲】
【請求項１】
振動を発生するバイブレータ（１）にロッド（２）を連結して備え、ロッドの下端部に横部材（３）を固着してあり、横部材から細長棒状の振動部材（４）を横並びに多数垂下して設けてあることを特徴とするコンクリートの気泡除去装置。
【考案の詳細な説明】
【技術分野】
【０００１】
本考案は、コンクリートを型枠内に打ち込んだときに発生する気泡を除去するコンクリートの気泡除去装置に関するものである。
【背景技術】
【０００２】
コンクリートを型枠に打ち込んだときには、コンクリート内部に気泡が多数発生し、型枠との接触面に気泡が残ったままでコンクリートが硬化すると、型枠を外したときにコンクリート表面に無数の凹部が形成され、外観上非常に見苦しい状態となる。これを防止するため、コンクリートを打設した後に気泡の除去を行う必要がある。従来気泡の除去は、一般には棒状バイブレータにより行っている。棒状バイブレータは、直径約５ｃｍ程度の円筒体からなる振動棒をコンクリート内に差し込み、振動棒をその上部に連結したバイブレータで細かく振動させるもので、振動により振動棒の周りのコンクリートの液状化を促し、気泡を振動棒に沿って上方に移動させて除去するものである。
【０００３】
従来の棒状バイブレータは、振動棒のすぐ近くにある気泡は除去できるが、振動棒から離れたところの気泡は除去できないため、短い間隔で何度も振動棒をコンクリート中に抜き差ししなければならず、作業能率が非常に悪い。そこで、より広い範囲の気泡を一度に除去できるように、振動棒に板体を側方に張り出して設け、板体に振動が伝わるようにしたものもある。しかし、板体に振動がうまく伝わらず思うような気泡除去効果が得られないばかりか、板体付きの振動棒は重量が重くなり、コンクリート中に抜き差しする際の抵抗も大きくなるから、却って重労働となっている。
【考案の開示】
【考案が解決しようとする課題】
【０００４】
本考案は以上に述べたような実情に鑑みてなされたものであって、コンクリート中の気泡の除去を能率良く確実に行うことのできる気泡除去装置の提供を目的とする。
【課題を解決するための手段】
【０００５】
上記の課題を達成するために本考案によるコンクリートの気泡除去装置は、振動を発生するバイブレータにロッドを連結して備え、ロッドの下端部に横部材を固着してあり、横部材から細長棒状の振動部材を横並びに多数垂下して設けてあることを特徴とする。
【考案の効果】
【０００６】
本考案によるコンクリートの気泡除去装置は、横部材から横並びに多数垂下して設けた細長棒状の振動部材がコンクリート内でよく振動し、コンクリート内の気泡を広い範囲で確実に除去できる。また軽量で、コンクリートに抜き差しする抵抗も小さいので、作業者の労力を軽減できる。
【考案を実施するための最良の形態】
【０００７】
以下、本考案の実施の形態を図面に基づいて説明する。本考案によるコンクリートの気泡除去装置は、図１に示すように、振動を発生するバイブレータ１にロッド２を連結して備え、ロッドの下端部に横部材３を固着してあり、横部材３から細長棒状の振動部材４を多数本横並びに垂下して設けたものである。ロッド２は、バイブレータ１の先端部にボルト・ナット７で取付けてあり、ロッド２から下の部分は古くなったときにバイブレータ１から取り外して交換できる。バイブレータ１は、従来の棒状バイブレータに使用しているものと同様のものを使用でき、例えばモーターによりモーター軸に対して偏心して設けた錘を高速で回転させ、高周波振動を発生させるものを使用することができる。振動周波数は、例えば毎分１００００〜２００００回とすることができ、振動周波数は変更できるものがより好ましい。振動部材４は、鉄、ステンレス、アルミ等の金属性の細長い丸棒を使用している。振動部材４の太さは２〜１０ｍｍ程度、特に３〜６ｍｍ程度が好ましく、長さは３０〜８０ｃｍ程度、特に４０〜６０ｃｍ程度が好ましいと考えられるが、この範囲に限定されるものではなく、振動部材４の先端までバイブレータ１の振動が伝わるようになっていればよい。振動部材４は、２〜５ｃｍの一定の間隔で設置している。
【０００８】
本気泡除去装置は、型枠にコンクリートを打ち込んだ直後に、図２に示すように、型枠５に沿って振動部材４をまっすぐにコンクリート６内に差し込み、バイブレータ１の電源をＯＮにして振動部材４を振動させる。振動部材４は細長棒状であるために、バイブレータ１の振動がよく伝わり、高周波数で細かく振動する。これにより振動部材４の周りのコンクリート６の液状化を促し、気泡は振動部材４に沿って徐々に上方に移動して除去される。振動部材４は、横並びに多数設けてあるので、一度に広い範囲の気泡の除去が可能である。一箇所の気泡除去が終れば、振動部材４をコンクリートから引き抜き、約横部材３の長さ分だけ横に移動し、振動部材４をコンクリート６に差し込んで振動させ、気泡除去を行う。この作業を型枠５の全長に亘って繰り返し行うことで、コンクリート６の表面全体から気泡痕が減少する。
【図面の簡単な説明】
【０００９】
【図１】本発明のコンクリートの気泡除去装置を示す正面図である。
【図２】本発明のコンクリートの気泡除去装置の使用状態を示す断面図である。
【符号の説明】
【００１０】
１  バイブレータ
２  ロッド
３  横部材
４  振動部材
５  型枠
６  コンクリート
【図１】
0003105921.tif 000003
【図２】
0003105921.tif 000004